(57)【特許請求の範囲】
【請求項１】
地中に所定深さまで掘削された地中熱交換井と、
この地中熱交換井に埋設され前記地中と熱交換を行うための地中熱交換井側熱交換部を有し、第１循環流体が循環する第１循環管路体と、
熱制御対象物を加熱又は冷却するための負荷側熱交換部を有し、第２循環流体が循環する第２循環管路体と、
前記第１循環管路体と、前記第２循環管路体との間に設けられ、前記第１循環流体より高温又は低温の前記第２循環流体を造成する地中熱利用ヒートポンプと、
前記地中熱交換井内に、前記第１循環管路体の前記地中熱交換井側熱交換部に隣接して埋設され、前記地中熱交換井の熱交換量を増加させるための交換井熱交換量増加手段とからなり、
前記交換井熱交換量増加手段は、Ｕ状管路体、直線状管路体、及び、螺旋状管路体から選択される１種以上が、前記地中熱交換井側熱交換部に隣接して埋設されているものであり、
前記Ｕ状管路体は、埋設されているＵ状部位の一方の直線状管路部に複数の穴が形成され、この穴を介して前記Ｕ状管路体内に地下水の流入を可能にしたものである
ことを特徴とする地中熱利用ヒートポンプシステム。
【請求項２】
請求項１に記載の地中熱利用ヒートポンプシステムにおいて、
前記Ｕ状管路体には、前記Ｕ状部位の他方の直線状管路部に、気体供給体からの気体が供給可能な供給パイプが設けられている
ことを特徴とする地中熱利用ヒートポンプシステム。
【請求項３】
請求項２に記載の地中熱利用ヒートポンプシステムにおいて、
前記Ｕ状管路体の前記一方の直線状管路部には、管路を所定の位置で遮断するパッカーが設けられている
ことを特徴とする地中熱利用ヒートポンプシステム。
【請求項４】
請求項２に記載の地中熱利用ヒートポンプシステムにおいて、
前記Ｕ状管路体は、前記Ｕ状部位の上端部が連結された循環管路体を構成するものであり、
前記循環管路体には、前記上端部及び連結部に前記地下水を異なる経路に導くことを可能とする開閉バルブが設けられている
ことを特徴とする地中熱利用ヒートポンプシステム。
【請求項５】
地中に所定深さまで掘削された地中熱交換井と、
この地中熱交換井に埋設され前記地中と熱交換を行うための地中熱交換井側熱交換部を有し、第１循環流体が循環する第１循環管路体と、
熱制御対象物を加熱又は冷却するための負荷側熱交換部を有し、第２循環流体が循環する第２循環管路体と、
前記第１循環管路体と、前記第２循環管路体との間に設けられ、前記第１循環流体より高温又は低温の前記第２循環流体を造成する地中熱利用ヒートポンプと、
前記地中熱交換井内に、前記第１循環管路体の前記地中熱交換井側熱交換部に隣接して埋設され、前記地中熱交換井の熱交換量を増加させるための交換井熱交換量増加手段とからなり、
前記交換井熱交換量増加手段は、Ｕ状管路体、直線状管路体、及び、螺旋状管路体から選択される１種以上が、前記地中熱交換井側熱交換部に隣接して埋設されているものであり、
前記直線状管路体は、下方側の所定の範囲に、複数の穴が形成され、この穴を介して前記直線状管路体内に地下水の流入を可能にしたものであり、前記直線状管路体の内部には、気体供給体からの気体が供給可能な気体供給パイプ、又は、地下水を汲み上げるための揚水ポンプが設けられている
ことを特徴とする地中熱利用ヒートポンプシステム。
【請求項６】
地中に所定深さまで掘削された地中熱交換井と、
この地中熱交換井に埋設され前記地中と熱交換を行うための地中熱交換井側熱交換部を有し、第１循環流体が循環する第１循環管路体と、
熱制御対象物を加熱又は冷却するための負荷側熱交換部を有し、第２循環流体が循環する第２循環管路体と、
前記第１循環管路体と、前記第２循環管路体との間に設けられ、前記第１循環流体より高温又は低温の前記第２循環流体を造成する地中熱利用ヒートポンプと、
前記地中熱交換井内に、前記第１循環管路体の前記地中熱交換井側熱交換部に隣接して埋設され、前記地中熱交換井の熱交換量を増加させるための交換井熱交換量増加手段とからなり、
前記交換井熱交換量増加手段は、Ｕ状管路体、直線状管路体、及び、螺旋状管路体から選択される１種以上が、前記地中熱交換井側熱交換部に隣接して埋設されているものであり、
前記直線状管路体は、１本以上埋設され、前記地中から地下水を揚水するための揚水用管路体、又は、前記揚水用管路体と揚水された水を前記地中に注水するための注水用管路体である
ことを特徴とする地中熱利用ヒートポンプシステム。
【発明の詳細な説明】
【技術分野】
【０００１】
本発明は、地中熱交換井の地中熱を利用して熱制御対象物を加熱又は冷却する地中熱利用ヒートポンプシステムに関する。さらに詳しくは、地中熱交換井内の循環管路体の地中熱側熱交換部に、地中熱交換井用熱補助装置を隣接して埋設し、地中熱交換井の地中熱交換量を増加させた地中熱利用ヒートポンプシステムに関する。
【背景技術】
【０００２】
従来から、地中熱を利用する地中熱交換井の方式としては、地中熱交換井内にポリエチレン製パイプをＵ字状に曲げて構成されたＵチューブを埋設する方式（以下、Ｕチューブ方式と記載）、地中熱交換井内にステンレス管を外管にポリエチレン製パイプを内管とする二重管等を埋設する方式（以下、同軸二重管方式と記載）等が知られている。地中の温度は、年間を通してほぼ一定であり、外気温度に比べると、夏は低く、冬は高くなっている。従って、外気との温度差を利用するために地中にＵチューブ、同軸二重管等を埋設し、Ｕチューブ、同軸二重管等によりこの地中熱を採熱し、ヒートポンプの熱源として利用することが行われており、これに関しては種々の提案がなされている。
【０００３】
即ち、地中においてほぼ一定である１０〜１５℃の恒温状態にある地中熱を利用して熱交換を行なうもので、例えば、冬であれば高温エネルギーとして暖房用熱源又は融雪用熱源等のため採熱し利用することができる。又、夏であれば低温エネルギーとして冷房用熱源等のために採熱し利用することができる。このような地中熱利用ヒートポンプシステムは、人工的な熱源、例えば冷暖房装置等からの排熱を大気に放熱しない。そのため、自然エネルギー利用の１つとして例えば夏における都心部のヒートアイランド抑制対策としても注目されている。又、寒冷地における暖房装置として使用されるとよい。
【０００４】
又、大気よりも安定した温度のエネルギーであるので、効率的な省エネルギーとなり且つＣＯ２（二酸化炭素）の発生の少ない熱源の熱供給システムとして促進されつつある。このような従来における地中熱利用ヒートポンプの例として、掘削した後の地中井戸に筒状のケーシングと、このケーシング内に配設され往路管部、復路管部、折曲部を有する配管と、この配管に接続され熱媒体を循環させるヒートポンプ本体とを備えた地中熱利用ヒートポンプの構造に関する技術が知られている（例えば、特許文献１参照）。この技術では、ケーシング内に充填されている水を強制的に循環させ熱効率を高めることができるとされている。
【０００５】
又、地中に配設された熱媒体循環方式の地中熱採熱井戸の融雪装置において、隣接して別に掘削された井戸から地下水をヒートポンプで熱交換した熱水と混ぜて、採熱井戸に圧力を注入し採熱井戸内で熱交換させ地中熱の採熱量を多くし、地上部のヒートポンプ熱交換器の熱効率を高める地中熱採熱井戸の融雪装置に関する技術が知られている（例えば、特許文献２参照）。
【０００６】
又、複数の熱交換器を組み合わせ、地下水の温度を利用することにより、居住区内で空気を自然対流させて室内空調を行う地下水を利用した住宅空調システムに関する技術も知られている（例えば、特許文献３参照）。この技術は、ヒートポンプを備え、このヒートポンプの熱源側通路として、地熱との熱交換を行う地下水を循環させる地下水循環通路を用いることを特徴としたものである。
【０００７】
さらに、本出願人もハイブリッド式地中熱利用ヒートポンプ装置に関する技術を提案している（特許文献４参照）。これは、地中に掘削された地中熱交換井に循環水を循環させる循環路体を埋設し、この循環水を加熱する補助熱源と、熱量不足の場合この補助熱源を稼動させるための制御を行なう制御装置を設けて構成されるものである。
【先行技術文献】
【特許文献】
【０００８】
【特許文献１】特開２００５−０９０９０２号公報
【特許文献２】特開２００５−２０７７１８号公報
【特許文献３】特開２００５−２０７７０４号公報
【特許文献４】特開２００６−１４５０５９号公報
【発明の概要】
【発明が解決しようとする課題】
【０００９】
以上、説明したように、地中熱交換井としては、一般にＵチューブ方式、同軸二重管方式が開発され実用化されている。このように、地中熱を、Ｕチューブ、同軸二重管を介して採熱し利用することは公知である。しかしながら、その技術は、まだ不十分であり、特に恒温状態にある地中熱を効率よく活用する点においては、さらに改善の余地がある。
【００１０】
特許文献１の技術は、地下水が豊富にある地層の地中熱を利用するものであるが、井戸にケーシングを使用している。このケーシング内に水を充填させた熱交換井となっていて、地中熱はこの水を介して熱採取している。この水を強制的に流動させるためにエアー又は水を供給しケーシング底より噴出させている構成のものである。この技術は地下水が存在することを前提にしており、ケーシング等の設置等コスト負担の大きい構成のものである。
【００１１】
特許文献２の技術は、融雪装置に関するものであり、ヒートポンプで熱交換された熱水の貯湯槽に地下水を通過させ、熱水となった地下水を地下採熱井戸に圧入し、地中熱の採熱量を多くできるようにしたものである。しかし、この技術も、地下水が存在することが前提であり、混合させる地下水の取水のための専用の掘削井戸と地下水を汲み上げ供給する設備を必要とする。地下水を採熱井戸の底部にもたらし、混合させる方式のものであるが、温度変化の少ない地下水を流動させているのみであるので、投資した設備に見合う熱交換効果が得られているかどうか疑問を呈するものである。
【００１２】
特許文献３の技術は、住宅空調用のものであるが、この技術も地下水を利用する技術である。この地下水による熱採取方法は、地中に地下水循環通路を埋設し採熱する構成であるが、地中に補助的に熱移動を可能にする装置を有して熱効率を向上させる技術ではない。
【００１３】
一般に、地中熱利用ヒートポンプシステムにおいて、地中熱交換量を増やすためには、多くの地中熱交換井、より深い地中熱交換井を掘削する必要がある。又、異なる方法で地中熱利用ヒートポンプシステムで熱を多く発生させて運転効率を上げようとする場合は、熱エネルギーを補給する必要がある。同一の地中熱利用ヒートポンプシステムの中での熱エネルギー交換は、システム全体のエネルギー増加を図ることができず、運転効率を向上させる改善は望めない。
【００１４】
このように、他のエネルギー源からの熱エネルギーを地中熱利用ヒートポンプシステムに補給する場合において、システムの全体設備の中に蓄熱槽がある場合は、熱エネルギーの温度等にも左右されるが補給する熱エネルギーを蓄熱槽に直接補給する方法が一般的である。しかしながら、蓄熱槽を別に設置するにはそれなりに専用の設備を要しコストアップとなる。全体システムの中に畜熱槽を必要としない場合は、地中熱交換井の周囲の地中に熱エネルギーを補給し、貯えることができれば別に掘削の必要がないので経済的である。
【００１５】
さらに地中熱利用ヒートポンプシステムを運転すると、どうしても地中熱交換井近傍の温度勾配が低下した状態となりがちである。この低下は、採取される熱エネルギー（地中熱交換量）が地層の有効熱伝導率に影響されることに関与している。地層がどのような有効熱伝導率になっているかを考慮し、又どの程度の時間で低下又は上昇するのかは、シミュレーションでその温度変化傾向を推測することは可能である。このように、地中熱交換井の周囲の温度勾配が低下して熱交換量が低くなる状況から、熱交換量を増やすための方法の１つは、地中熱交換井近傍の温度勾配を高くすることである。
【００１６】
地中熱交換井近傍の温度勾配を高くする方法として、例えば地中熱交換井近傍の地下水を少し汲み上げ、あるいは循環させることがある。このことは既に従来から行われており、又外部からエネルギーを加えることにより熱交換を効率よくすることも行なわれている。このエネルギー供給は、一般に専用の熱源を有するものになっている。しかし、その外部エネルギーはＣＯ２（二酸化炭素）の発生のない自然エネルギーの使用で補給するのが好ましく、又、地下水の有無に関わらずさらにケーシング等の設備を要しないで熱交換効率を高める装置が好ましくその開発が望まれている。
【００１７】
本発明は、このような従来のシステムにおける問題点を解決するために開発されたものであり、エネルギーの有効活用により熱交換効率を向上させたシステムとし、次の目的を達成する。
本発明の目的は、簡素な設備で自然エネルギー等を補助的に使用して地中熱交換井の地中熱交換量の増大を図り、熱効率を向上させることができる地中熱利用ヒートポンプシステムを提供することにある。
【課題を解決するための手段】
【００１８】
本発明は、前記目的を達成するために次の手段をとる。即ち、
本発明１の地中熱利用ヒートポンプシステムは、地中に所定深さまで掘削された地中熱交換井と、この地中熱交換井に埋設され前記地中と熱交換を行うための地中熱交換井側熱交換部を有し、第１循環流体が循環する第１循環管路体と、熱制御対象物を加熱又は冷却するための負荷側熱交換部を有し、第２循環流体が循環する第２循環管路体と、前記第１循環管路体と、前記第２循環管路体との間に設けられ、前記第１循環流体より高温又は低温の前記第２循環流体を造成する地中熱利用ヒートポンプと、前記地中熱交換井内に、前記第１循環管路体の前記地中熱交換井側熱交換部に隣接して埋設され、前記地中熱交換井の熱交換量を増加させるための交換井熱交換量増加手段とからなり、前記交換井熱交換量増加手段は、Ｕ状管路体、直線状管路体、及び、螺旋状管路体から選択される１種以上が、前記地中熱側熱交換部に隣接して埋設されているものであり、前記Ｕ状管路体は、埋設されているＵ状部位の一方の直線状管路部に複数の穴が形成されたものであることを特徴とする。
【００２１】
本発明２の地中熱利用ヒートポンプシステムは、本発明１において、前記Ｕ状管路体には、前記Ｕ状部位の他方の直線状管路部に、気体供給体からの気体が供給可能な供給パイプが設けられていることを特徴とする。
【００２２】
本発明３の地中熱利用ヒートポンプシステムは、本発明２において、前記Ｕ状管路体の前記一方の直線状管路部には、管路を所定の位置で遮断するパッカーが設けられていることを特徴とする。
【００２３】
本発明４の地中熱利用ヒートポンプシステムは、本発明２において、前記Ｕ状管路体は、前記Ｕ状部位の上端部が連結された循環管路体を構成するものであり、前記循環管路体には、前記上端部及び連結部に前記地下水を異なる経路に導くことを可能とする開閉バルブが設けられていることを特徴とする。
【００２４】
本発明５の地中熱利用ヒートポンプシステムは、地中に所定深さまで掘削された地中熱交換井と、この地中熱交換井に埋設され前記地中と熱交換を行うための地中熱交換井側熱交換部を有し、第１循環流体が循環する第１循環管路体と、熱制御対象物を加熱又は冷却するための負荷側熱交換部を有し、第２循環流体が循環する第２循環管路体と、前記第１循環管路体と、前記第２循環管路体との間に設けられ、前記第１循環流体より高温又は低温の前記第２循環流体を造成する地中熱利用ヒートポンプと、前記地中熱交換井内に、前記第１循環管路体の前記地中熱交換井側熱交換部に隣接して埋設され、前記地中熱交換井の熱交換量を増加させるための交換井熱交換量増加手段とからなり、前記交換井熱交換量増加手段は、Ｕ状管路体、直線状管路体、及び、螺旋状管路体から選択される１種以上が、前記地中熱交換井側熱交換部に隣接して埋設されているものであり、前記直線状管路体は、下方側の所定の範囲に、複数の穴が形成され、この穴を介して前記直線状管路体内に地下水の流入を可能にしたものであり、前記直線状管路体の内部には、気体供給体からの気体が供給可能な気体供給パイプ、又は、地下水を汲み上げるための揚水ポンプが設けられていることを特徴とする。
【００２５】
本発明６の地中熱利用ヒートポンプシステムは、地中に所定深さまで掘削された地中熱交換井と、この地中熱交換井に埋設され前記地中と熱交換を行うための地中熱交換井側熱交換部を有し、第１循環流体が循環する第１循環管路体と、熱制御対象物を加熱又は冷却するための負荷側熱交換部を有し、第２循環流体が循環する第２循環管路体と、前記第１循環管路体と、前記第２循環管路体との間に設けられ、前記第１循環流体より高温又は低温の前記第２循環流体を造成する地中熱利用ヒートポンプと、前記地中熱交換井内に、前記第１循環管路体の前記地中熱交換井側熱交換部に隣接して埋設され、前記地中熱交換井の熱交換量を増加させるための交換井熱交換量増加手段とからなり、前記交換井熱交換量増加手段は、Ｕ状管路体、直線状管路体、及び、螺旋状管路体から選択される１種以上が、前記地中熱交換井側熱交換部に隣接して埋設されているものであり、前記直線状管路体は、１本以上埋設され、前記地中から地下水を揚水するための揚水用管路体、又は、前記揚水用管路体と揚水された水を前記地中に注水するための注水用管路体であることを特徴とする。
【発明の効果】
【００３１】
以上のように、本発明の地中熱利用ヒートポンプシステムは、自然エネルギー、排熱エネルギー等の利用により補助的に熱を加えて地中熱交換井の地中熱を維持するようにしたので、簡素な構成でＣＯ２（二酸化炭素）の発生等のない熱交換効率の向上したシステムを構築することが可能となった。又、このシステムは地下水の有無に関わらずどの地層においても適用することができ、低コストで簡素な構成のシステムとすることができた。
【図面の簡単な説明】
【００３２】
【図１】図１は、本発明の地中熱利用ヒートポンプシステムの実施の形態１を示し、地中熱交換井に地中熱交換用Ｕチューブと穴のあるＵ状管路体を埋設した形態の地中熱利用ヒートポンプシステムを模式的に示した構成図である。
【図２】図２は、地中熱利用ヒートポンプの構成を模式的に示した説明図である。
【図３】図３は、地中熱利用ヒートポンプシステムの実施の形態２を示し、地中熱交換井に地中熱交換用Ｕチューブと穴のないＵ状管路体を埋設した形態の地中熱利用ヒートポンプシステムを模式的に示した構成図である。
【図４】図４は、地中熱利用ヒートポンプシステムの実施の形態３を示し、地中熱交換井に地中熱交換用Ｕチューブと電気ヒーターを埋設した形態の地中熱利用ヒートポンプシステムを模式的に示した構成図である。
【図５】図５は、地中熱利用ヒートポンプシステムの実施の形態４を示し、Ｕ状管路体の所定の位置にパッカーを設けた形態の地中熱利用ヒートポンプシステムを模式的に示した構成図である。
【図６】図６は、地中熱利用ヒートポンプシステムの実施の形態５、６を示し、地中熱交換井に地中熱交換用Ｕチューブと穴のある２本の直線状管路体を埋設した形態の地中熱利用ヒートポンプシステムを模式的に示した構成図である。
【発明を実施するための形態】
【００３３】
以下、本発明の実施の形態を図面に基づき説明する。
図１は、本発明の実施の形態１を示し、地中熱交換井に地中熱交換用Ｕチューブと穴のあるＵ状管路体を埋設した形態の地中熱利用ヒートポンプシステムを模式的に示した構成図である。図２は、地中熱利用ヒートポンプの構成を模式的に示した説明図である。図３は、本発明の実施の形態２を示し、地中熱交換井に地中熱交換用Ｕチューブと穴のないＵ状管路体を埋設した形態の地中熱利用ヒートポンプシステムを模式的に示した構成図である。
【００３４】
図４は、本発明の実施の形態３を示し、地中熱交換井に地中熱交換用Ｕチューブと電気ヒーターを埋設した形態の地中熱利用ヒートポンプシステムを模式的に示した構成図である。図５は、本発明の実施の形態４を示し、Ｕ状管路体の所定の位置にパッカーを設けた形態の地中熱利用ヒートポンプシステムを模式的に示した構成図である。
【００３５】
図１に示すように、地中に、地中熱利用ヒートポンプシステム１の地中熱交換井２が掘削されている。この地中熱交換井２は、例えば深さ１００〜１５０ｍの掘削深さのもので、掘削壁にケーシング等を設置するものではない。
【００３６】
この地中熱交換井２に、熱交換パイプとしてポリエチレン製パイプをＵ字状に曲げて構成されたＵ字状の管、即ち地中熱交換用Ｕチューブ（以下Ｕチューブと記載する）３が埋設されている。このＵチューブ３が埋設された後、地中熱交換井２は硅砂等充填材で充填される。なお、埋設されるＵチューブ３は、通常は１本であるが、複数本設置されてもよい。また、地中熱交換井の充填材は、硅砂等充填材と掘削した砂等とが混合されたものであってもよい。このＵチューブ３は、第１循環流体４を循環させるための閉じられた管路を構成し、中間部が地中熱交換井２の底部でＵ字状に折り曲げ部５の形状をなし、両端部が地上に張り出し地中熱利用ヒートポンプ６の第１熱交換部２１に接続されている。
【００３７】
封入されている第１循環流体４は、第１循環管路体Ａ内を、矢印で示す方向に循環している。この第１循環流体４は、不凍液、水等であり、地中熱利用ヒートポンプ６内の第１熱交換部２１、Ｕチューブ３の一部である第１循環経路７、折り曲げ部５、第２循環経路８を経て循環している。このような構成の循環経路を循環する第１循環流体４は、例えば冬季の場合、地上側の地中熱利用ヒートポンプ６の第１熱交換部２１で熱交換し、第１循環経路７、折り曲げ部５、第２循環経路８を循環し、再び第１熱交換部２１に戻る。Ｕチューブ３に形成された第１循環経路７、折り曲げ部５、第２循環経路８が地中熱交換井側熱交換部を構成する。又、第１循環経路７、折り曲げ部５、第２循環経路８、第１熱交換部２１を含み、第１循環流体４が循環する循環経路（循環管路）が第１循環管路体Ａを構成する。
【００３８】
このとき地中は地上の外気温度に比べ恒温状態で地中温度が高くなっているので、第１循環流体４は地上側から地中に送り込まれると、地中熱交換井側熱交換部（第１循環経路７、折り曲げ部５、第２循環経路８）で採熱し、暖められて第１熱交換部２１側に循環することになる。第１熱交換部２１で、第１循環流体４と熱交換された熱媒体２６（図２参照）は地中熱利用ヒートポンプ６によってさらに暖められ、循環する。熱媒体２６は第２熱交換部２３で第２循環流体１０と熱交換する。温水となった第２循環流体１０は、熱制御対象物（例えば、建物、道路等）の融雪、暖房等の設備である熱交換装置９の負荷側熱交換部２９で融雪、暖房等のための熱源として利用される。第２循環流体１０は、不凍液、水等であるとよい。
【００３９】
地中熱利用ヒートポンプ６は公知の装置ではあるが、理解を容易にするため次に図２をもとに説明する。
地中熱用ヒートポンプ６は第１熱交換部２１、第２熱交換部２３、圧縮部（圧縮機）２２、膨張部（膨張弁）２４、熱媒体循環路２５等から構成されている。熱媒体循環路２５内には、融雪、暖房用の熱源とする場合、熱媒体２６が矢印で示した方向に循環している。第１熱交換部２１は、第１循環流体４と熱媒体２６との間で熱交換を行なう部位である。即ちＵチューブ３を循環する第１循環流体４の熱量を熱媒体２６に熱移動させる。第２熱交換部２３は、熱媒体２６と第２循環流体１０との間で熱交換を行なう部位である。即ち、熱媒体２６の熱量を第２循環流体１０に熱移動させる。熱移動された第２循環流体１０は、管路１１、管路１２、利用側の熱交換装置９を含む第２循環管路体Ｂを循環し、負荷側熱交換部２９で熱源として利用される。
【００４０】
地中熱交換井２に配設したＵチューブ３の第１循環経路７、第２循環経路８等を循環する第１循環流体４は、第１循環ポンプ１３によって循環する。第１循環流体４は、Ｕチューブ３を介し、地中熱交換井２の地中との間で熱交換（熱採取）を行う。熱交換によって熱を得た第１循環流体４は中温水となって地上に戻り、地中熱利用ヒートポンプ６の第１熱交換部２１を通過する。
【００４１】
第１循環流体４は、第１熱交換部２１において熱媒体２６との間で熱交換を行なって低温水となってＵチューブ３に戻り、地中熱交換井２の地中と熱交換（熱採取）を行なう。第１熱交換部２１において、第１循環流体４との間で熱交換した熱媒体２６は、図２に示すように、圧縮機２２において圧縮されることによってさらに高温となり、第２熱交換部２３に送られる。
【００４２】
第２熱交換部２３で、熱媒体２６は、第２循環流体１０との間で熱交換を行う。第２循環流体１０は、熱交換装置９の負荷側熱交換部２９に循環し熱源として利用される。熱媒体２６との間で熱交換を行ない、熱を得た第２循環流体１０は温水となって、第２循環ポンプ１４によって管路１１、１２等第２循環管路体Ｂを循環し、負荷側熱交換部２９において、地上側の暖房システム、暖房装置、融雪システム、融雪装置等の熱源として利用される。
【００４３】
一方、例えば夏季の場合には、図２に示した矢印と反対方向に熱媒体２６は循環する。第１循環流体４は、Ｕチューブ３を通過する際、外気温度より低い温度の地中と熱交換し、低い温度の第１循環流体４となる。第１循環流体４と熱交換した熱媒体２６は冷却され、膨張弁２４によって減圧されることによって、さらに低温となって第２熱交換部２３に送られる。ここで、低温の熱媒体２６は、第２熱交換部２３で第２循環流体１０と熱交換する。低温になった第２循環流体１０は負荷側熱交換部２９において、冷房システム、冷房装置等の熱源として利用される。
【００４４】
〔実施の形態１〕
図１に基づいて、地中熱利用ヒートポンプシステムの実施の形態１について説明を行う。この実施の形態１の地中熱利用ヒートポンプシステム１は、地下水の流動性が少ない地域に好適な形態である。
前述したような地中熱利用ヒートポンプシステムの構成に対し、同じ地中熱交換井２内に、前述したＵチューブ３に隣接してＵ状管路体１５を設けている。このＵ状管路体１５の材質は、例えばポリエチレンパイプであり、交換井熱交換量増加手段を構成する。このＵ状管路体１５は、塩化ビニル製のいわゆるＶＰ管など他の材質のものであってもよい。
【００４５】
このＵ状管路体１５はＵチューブ３の全長あるいは一部に沿って配置され、閉じられた管路を構成している。このＵ管路体１５は、第１管路１６と、折り曲げ部１７と、第２管路１８で構成され、第１管路１６と第２管路１８の端部は、中間開閉バルブ３０を介して接続されている。又、この第１管路１６の端部には第１開閉バルブ３１、第２管路１８の端部には第２開閉バルブ３２が設けられ、外気との間でＵ状管路体１５の開閉が可能となっている。
【００４６】
又、第２管路１８には複数の穴１９が全長に亘って設けられている。この第２管路１８に穴１９を設けたことで、この穴１９を介してＵ状管路体１５内に地中熱交換井２内の地下水が流れ込む。第１管路１６は穴を設けていない。この第１管路１６には、エアーホース３３が挿入されていて、地上からコンプレッサー２０を介して圧縮空気が供給される。この穴１９は丸穴、溝状の穴が好ましいが、長穴、楕円穴、角穴、星形穴等他の形状の穴であってもよい。溝状の穴、長穴、楕円穴は、第２管路１８の長手方向が長手側、長径側になっていることが好ましい。
【００４７】
供給された圧縮空気は第１管路１６内に放出される。この圧縮空気放出により、Ｕ状管路体１５内にたまった地下水を上方へもたらし汲み上げることができ、地下水の流動を促進する。このことで、地中の温度上昇又は温度低下を抑制しながら、効率的に地中熱交換を行うことができる。なお、Ｕ状管路体１５に供給される媒体はエアーで説明したが、他の気体、ガス等であってもよい。
【００４８】
圧縮空気供給により地下水を汲み上げる方式（いわゆる、エアーリフト方式）で汲み上げられた地下水は、地上の配管に設置したバルブ開閉操作で地上に排出することも、閉回路にして地上に汲み上げないまま第１管路１６に戻しＵ状管路体１５内を循環させることも可能である。すなわち、第１開閉バルブ３１、第２開閉バルブ３２を閉じ、中間バルブ３０を開くことで循環させることができる。又、中間バルブ３０を閉じ、第１開閉バルブ３１及び／又は第２開閉バルブ３２を開くことで地上側に汲み上げることができる。地中熱交換井２を設置した地域の地下特性や地下水流動の状況により、最適な構成を選定するとよい。
【００４９】
又、地中熱利用ヒートポンプシステムの運転に伴う地中温度の変化（上昇又は低下）の状況にあわせて、地下水の汲み上げ状態や循環状態を制御するようにしてもよい。
さらに状況によっては、別の井戸で汲み上げられた地下水をこれらのバルブを活用し注入することも可能である。
【００５０】
このようにこのＵ状管路体１５をＵチューブ３に隣接させて設けたことは、冷房運転時の温度上昇を少なくし、暖房運転時の温度下降を少なくすることができる。言い換えると、地中熱交換井２として、より効率的な熱交換を行なうことができる。
【００５１】
地中熱交換井２の地中温度が予め設定した温度より上昇あるいは下降した場合に、圧縮空気供給運転、開閉バルブ操作等を行うことで、Ｕ状管路体１５の穴１９から取り込んだ地下水を汲み上げたり、地下水を循環させたりするとよい。このような運転をすることで、地中熱交換井２の地下水の流動形態や地中熱交換井２全体の温度分布状態に変化を与えることができ、その結果、従来の地中熱交換井２よりも効率的な地中熱交換をすることができる。
【００５２】
地中熱利用ヒートポンプシステムの運転に伴なう地中温度の上昇や下降状況は地中の有効熱伝導率や運転時間により変化するが、このような地中温度の変化状況は地中温度シミュレーションにより予め想定することができる。タイマー等の制御システムを利用することで地中温度の上昇に適応して地下水の汲み上げ、循環、注入等の運転制御をすることができ、有効な地中熱交換が可能となる。又、これら循環流体、熱媒体を循環させるためのポンプ、コンプレッサー等のエネルギー源は太陽熱等の自然エネルギーを活用することが可能である。
【００５３】
地中熱交換井２内で採熱される地中熱は、井戸全深さに亘って均等ではない。このためＵ状管路体１５に圧縮空気を噴出させると、地中熱交換井２に地下水の攪拌、対流等が起こり地中熱交換井２の底部側の地下水を上方へもたらすことになり、熱移動が発生する。
【００５４】
詳述すると、地中熱交換井２の底部側の加熱、あるいは、冷却された地下水を汲み上げることで地中熱交換井内の温度勾配を変えることにより、これに伴なって変化する熱を移動熱としている。移動熱は後述するように、交換井熱交換量増加手段の補助エネルギー供給装置により加熱又は冷却された補助循環流体の循環により、地中熱交換井内に熱を移動させることも同様の移動熱とみなす。
【００５５】
〔実施の形態２〕
図３に基づいて、地中熱利用ヒートポンプシステムの実施の形態２について説明を行う。この実施の形態２の地中熱利用ヒートポンプシステム１Ａは、地下水の流動速度が極めて遅い地域や地下水が存在しない地域の場合に好適な形態である。なお、この実施の形態２におけるＵチューブ３等の構成は、前述した実施の形態１のものと同一であり、同一の符号を付与して詳細な説明を省略する。
【００５６】
この形態２は前述のようにＵチューブ３に沿って穴のないＵ状管路体４０を地中熱交換井２内に埋設した例である。地中熱交換井２の近傍の地中を利用して蓄熱を行うことも可能な地中熱交換井システムの構築にも利用することができる。
一般に地下水流動が極めて少ない地層や地下水が存在しない地層の場合は、有効熱伝導率が低い。従って地中熱交換量が少ないため、同じ地中熱交換量が必要であるといって地中熱交換井の長さを延長して長くすると経済的には不利益となる。
【００５７】
しかし、このような地層は蓄熱が可能なことから、この実施の形態２で示すシステムを適用すると有効なシステムが構築できる。この形態２は、前述のように地中熱交換井２内に、前述同様、Ｕチューブ３に隣接してＵ状管路体４０を埋設するものである。Ｕ状管路体４０は、補助エネルギー供給用循環管路体Ｃの一部を構成するものである。Ｕ状管路体４０は、穴のあいていない管路体であり、このＵ状管路体４０はＵチューブ３の全長あるいは一部に沿って配置されるとよい。この補助エネルギー供給用循環管路体Ｃに、補助循環流体４３をポンプ４２を介して循環させ、Ｕ状管路体４０に供給させる構成になっている。補助循環流体４３は、不凍液、水等であるとよい。補助循環流体４３は、補助エネルギー供給装置４１により加熱または冷却される。この形態２の交換井熱交換量増加手段は、Ｕ状管路体４０を含む補助エネルギー供給用循環管路体Ｃ、補助エネルギー供給装置４１、補助循環流体４３で構成される。
【００５８】
この補助エネルギー供給装置４１は、冬季の場合、太陽熱、地熱、温泉熱等の自然エネルギー、不要とする排熱、排気熱、廃熱等のエネルギー（例えば、廃棄物、産業廃棄物等燃焼による排熱、空調設備等の機械設備からの排熱、エンジンなど他の設備で発生する排熱等のエネルギー）、ガス等の排熱エネルギー、余剰電力、夜間電力等の使用で得られるエネルギーなどを利用して補助循環流体４３を加熱するとよい。この補助エネルギー供給用循環管路体ＣのＵ状管路体４０を地中熱交換井２に埋設することで、地中熱の温度を高めると同時に蓄熱してその温度を維持しＵチューブ３の第１循環流体４の温度を効率的に高めることができる。従って、地中熱交換井２は蓄熱槽としての機能を有することにもなる。
【００５９】
又、夏季の場合には、温水に代わって冷水を補助エネルギー供給用循環管路体Ｃに循環させ、Ｕ状管路体４０を介して冷熱を地中熱交換井２に蓄熱することも可能である。なお、このような地中熱交換井２の近傍の地中への蓄熱に利用するＵ状管路体４０は、循環する温水、冷水の流量、温度により適切なサイズや材質を選定することで効率的、経済的な熱交換を行うことができる。
【００６０】
〔実施の形態３〕
図４に基づいて、地中熱利用ヒートポンプシステムの実施の形態３について説明を行う。図４は、実施の形態３の地中熱利用ヒートポンプシステム１Ｂを示している。なお、この実施の形態３におけるＵチューブ３等の構成も、前述した実施の形態１のものと同一であり、同一の符号を付与して詳細な説明を省略している。
【００６１】
この形態３は、Ｕチューブ３に沿って地中熱交換井２内に電気ヒーター５０を埋設した例である。この形態３は、地中熱交換井２の地中を電気ヒーター５０を介して暖め、又は、蓄熱させて熱移動を行う方式である。この電気ヒーター５０のエネルギー源は、前述同様太陽熱等の自然エネルギーを利用することが可能である。又、人工的に得られたものではあるが不要とする排熱、排気熱、廃熱のエネルギー（例えば、廃棄物、産業廃棄物等燃焼による排熱、空調設備等の機械設備からの排熱、エンジンなど他の設備で発生する排熱、ガス等の排熱等のエネルギー）を利用してもよい。さらに、夜間電力、余剰電力等のエネルギーを利用してもよい。この形態３では、電気ヒーター５０が交換井熱交換量増加手段となる。
【００６２】
なお、電気ヒーター５０は、前述した実施の形態１のＵ状管路体１５及び／またはＵチューブ、実施の形態２のＵ状管路体４０及び／またはＵチューブ等と隣接して埋設させてもよい。
【００６３】
〔実施の形態４〕
図５に基づいて、地中熱利用ヒートポンプシステムの実施の形態４について説明を行う。この実施の形態４の地中熱利用ヒートポンプシステム１Ｃは、地下水位面が地表から深い位置にある地域に好適なものである。なお、この実施の形態４におけるＵチューブ３等の構成も、前述した実施の形態１のものと同一であり、同一の符号を付与して詳細な説明を省略している。
【００６４】
図５に示すように、この形態４の地中の状況は、地下水位面６８は地表から深い位置にある。そこで、Ｕ状管路体１５ａの第２管路１８ａの地下水位面６８に対応する位置にパッカー６５を設け、第２管路１８ａを途中で遮断している。パッカー６５は、Ｕ状管路体１５ａの第２管路１８ａ内に挿入後、膨張させることで第２管路１８ａを遮断するものとして周知であり、この形態の説明では詳細な説明を省略する。Ｕ状管路体１５ａは、第１管路１６ａ、折り曲げ部１７ａ、第２管路１８ａで構成されている。
【００６５】
この第２管路１８ａには、エアーホース１３３が挿入されていて、地上からコンプレッサー２０を介して圧縮空気が供給される。又、第２管路１８ａの端部には第３開閉バルブ１３２が設けられ、外気との間でＵ状管路体１５ａの開閉が可能となっている。又、第１管路１６ａには、エアーホース３３が挿入されていて、地上からコンプレッサー２０を介して圧縮空気が供給される。この第１管路１６ａの端部には第１開閉バルブ３１が設けられ、外気との間でＵ状管路体１５ａの開閉が可能となっている。第１管路１６ａと第２管路１８ａとは、中間開閉バルブ３０を介して接続されている。Ｕ状管路体１５ａ、パッカー６５等が交換井熱交換量増加手段となる。
【００６６】
このような構成とすることで、地下水位面６８から下部側の穴１９ａを介して、第２管路１８ａの下部側、第１管路１６ａ等に流入した地下水を汲み上げることができる。また、第２管路１８ａの下部側、第１管路１６ａ等に流入した地下水を汲み上げながら第２管路１８ａの上部側の穴１９ｂから地下水等を、地下水位面６８より上の地中に注入処理してもよい。コンプレッサー２０とエアホース３３、１３３の間には、エア開閉バルブ１２１、１２２が設けられており、エアホース３３、エアホース１３３には、個別に、圧縮空気を供給することができる。もちろん、エアホース３３、エアホース１３３の両方に、圧縮空気を供給することもできる。エアホース３３から圧縮空気を供給する動作で、第２管路１８ａの下部側、第１管路１６ａ等に溜まった地下水を汲み上げることができる。汲み上げられた地下水は、第１開閉バルブ３１、中間開閉バルブ３０の開閉操作によって、地上に排出することができる。また、第３開閉バルブ１３２から別の地下水等を注入することができる。
【００６７】
このようにすることで、パッカー６５から下の地下水の流動を促進し、地中の温度上昇又は温度低下を抑制しながら、効率的に地中熱交換を行うことができる。なお、パッカー６５の位置は、熱交換効果に最適な位置を任意に選択することができる。また、この地中熱利用ヒートポンプシステム１Ｃは、電気ヒーターが、地中熱交換井に、Ｕチューブ及び／またはＵ状管路体に隣接して埋設された構成のものであってもよい。電気ヒーターは太陽熱等の自然エネルギー、排熱、排気熱、廃熱のエネルギー、夜間電力等を利用するとよい。
【００６８】
〔実施の形態５〕
図６は、地中熱交換井に地中熱交換用Ｕチューブと穴のある２本の直線状管路体（揚水用管路体、注水用管路体）を埋設した形態の地中熱利用ヒートポンプシステムを模式的に示した構成図である。
図６に基づいて、地中熱利用ヒートポンプシステムの実施の形態５について説明を行う。この実施の形態５の地中熱利用ヒートポンプシステム１Ｄは、前述した実施の形態１の変形例に相当するものであり、Ｕチューブ３に隣接して、直線状の揚水用管路体２０１を地中熱交換井２に埋設した形態としている。なお、この実施の形態５におけるＵチューブ３等の構成は、前述した実施の形態１のものと同一であり、同一の符号を付与して詳細な説明を省略している。
【００６９】
この揚水用管路体２０１は、下端が閉じているとともに、下方側の所定の範囲に、穴２０２が形成されている。なお、この揚水用管路体２０１は、砂等が入らないように下端が閉じているものが好ましいが、開いていてもよい。この揚水用管路体２０１に穴２０２を設けたことで、この穴２０２を介して揚水用管路体２０１内に地中熱交換井２内の地下水が流れ込む。この穴２０２は丸穴、溝状の穴が好ましいが、長穴、楕円穴、角穴、星形穴等他の形状の穴であってもよい。溝状の穴、長穴、楕円穴は、揚水用管路体２０１の長手方向が長手側、長径側になっていることが好ましい。
【００７０】
この揚水用管路体２０１には、エアーホース３３が挿入されていて、地上からコンプレッサー２０を介して圧縮空気が供給される。供給された圧縮空気は揚水用管路体２０１内に放出される。この圧縮空気放出により、揚水用管路体２０１内にたまった地下水を上方へもたらし汲み上げることができ、汲み上げた地下水は、図示しない管路を介して地中熱交換井２の外部（地上）に排出して、地下水の流動を促進する。いわゆる、エアーリフト方式で、揚水用管路体２０１内の地下水を揚水する。この実施の形態５の場合には、揚水用管路体２０１のみを地中熱交換井２に埋設したものであってもよく、図６に示した形態の中間開閉バルブ３０を閉状態にしたものであってもよい。このことで、地中の温度上昇又は温度低下を抑制しながら、効率的に地中熱交換を行うことができる。なお、揚水用管路体２０１に供給される媒体はエアーで説明したが、他の気体、ガス等であってもよい。さらに、圧縮空気の供給で地下水を汲み上げる方式（エアーリフト方式）の形態で説明したが、揚水用管路体２０１に小型の揚水ポンプを内蔵して、地下水を汲み上げる揚水ポンプ方式のものであってもよい。
【００７１】
〔実施の形態６〕
さらに、図６に基づいて、地中熱利用ヒートポンプシステムの実施の形態６について説明を行う。実施の形態６の地中熱利用ヒートポンプシステム１Ｅは、実施の形態５の変形例であり、揚水用管路体２０１に隣接して、直線状の注水用管路体２１１を埋設した形態のものである。すなわち、直線状の揚水用管路体２０１、注水用管路体２１１を、Ｕチューブ３に隣接して地中熱交換井２に埋設した形態となっている。なお、この実施の形態６におけるＵチューブ３等の構成も、前述した実施の形態１のものと同一であり、同一の符号を付与して詳細な説明を省略している。
【００７２】
この注水用管路体２１１は、地中熱交換井２から揚水した水を、地中熱交換井２側に戻すため注水するものである。揚水用管路体２０１と注水用管路体２１１との間には、管路及び中間開閉バルブ３０が設けられている。注水用管路体２１１の下方側の所定の範囲に、穴２１２が形成されている。この注水用管路体２１１に穴２１２を設けたことで、この穴２１２を介して注水用管路体２１１内の水が地中熱交換井２側に注水される。すなわち、中間開閉バルブ３０を開状態にしたとき、エアリフト方式、揚水ポンプ等により揚水用管路体２０１内から揚水された地下水が、管路、中間開閉バルブ３０を介して注水用管路体２１１側に移動し、注水用管路体２１１の穴２１２から地中熱交換井２側に注水される。すなわち、地下水が循環する。
【００７３】
なお、この地中熱利用ヒートポンプシステム１Ｅは、中間開閉バルブが無い形態のものであってもよい。また、この地中熱利用ヒートポンプシステム１Ｄ、１Ｅは、電気ヒーターが、地中熱交換井に、Ｕチューブ及び／または直線状管路体に隣接して埋設された構成のものであってもよい。電気ヒーターは太陽熱等の自然エネルギー、排熱、排気熱、廃熱のエネルギー、夜間電力等を利用するとよい。
【００７４】
なお、注水用管路体は、穴が形成された直線状の管体と、この管体内に挿入されたパッカーとで構成された注水用管路構成体で代用してもよい。また、予め注水する位置が確認されている場合には、注水用管路体の長さをこの位置に相当する長さのもの（例えば、図６に示した注水用管路体より長さが短いもの）としてもよい。
【００７５】
本発明の実施の形態について以上のとおり説明したが、本発明はこの実施の形態に限定されない。本発明の目的、趣旨を逸脱しない範囲内での変更が可能なことはいうまでもない。例えば、図示していないが、交換井熱交換量増加手段の管路体は、Ｕチューブの周囲を螺旋状に囲むようにした管路を含む管路体であってもよく、又、熱伝導率の高い部材をＵチューブとＵ状管路体に接触あるいは結合させる構成にしてもよい。この場合はＵ状管路体の熱をＵチューブに直接熱移動させることができる。さらに、Ｕチューブのみが既に設置されている井戸であれば、Ｕ状管路体を追加の形で設置しこのシステムを構築することも可能である。
【符号の説明】
【００７６】
１、１Ａ、１Ｂ、１Ｃ、１Ｄ、１Ｅ…地中熱利用ヒートポンプシステム
２…地中熱交換井
３…地中熱交換用Ｕチューブ
４…第１循環流体
６…地中熱利用ヒートポンプ
９…熱交換装置
１０…第２循環流体
１５、４０…Ｕ状管路体
１９、１１９…穴
２０…コンプレッサー
３３…エアーホース
４１…補助エネルギー供給装置
４３…補助循環流体
５０…電気ヒーター
６５…パッカー
２０１…揚水用管路体
２１１…注水用管路体
Ａ…第１循環管路体
Ｂ…第２循環管路体
Ｃ…補助エネルギー供給用循環管路体
【図１】
0004966330.tif 000002
【図２】
0004966330.tif 000003
【図３】
0004966330.tif 000004
【図４】
0004966330.tif 000005
【図５】
0004966330.tif 000006
【図６】
0004966330.tif 000007